(57)【特許請求の範囲】
【請求項１】
注入チューブセットと注入ポンプとの組み合わせであって、チューブがチューブクランプを通ってガイドされ、該チューブクランプによってチューブが選択的に開放及び／又は遮断される形式のものにおいて、
前記注入ポンプが、錠止及び解錠可能なドアを有しており、前記チューブクランプ（１）が選択的に開放及び／又は遮断せしめられるか、若しくは遮断位置で係止可能であって、前記注入ポンプが、チューブクランプ（１）を閉鎖及び／又は開放するための傾倒レバー（１２）を有しており、該傾倒レバー（１２）が、チューブクランプ（１）の一部と協働する際にそれぞれチューブクランプ（１）を開放及び／又は閉鎖するようになっており、
注入チューブセットが設けられており、この場合チューブ（１３）がチューブクランプ（１）を通してガイドされ、該チューブクランプ（１）によってチューブ（１３）が選択的に開放及び／又は遮断されるようになっており、
チューブクランプ（１）が、チューブ（１３）を選択的に遮断及び開放するために使用され、該チューブクランプ（１）が、剛性な複数の脚（２，３）と曲げ弾性的なウエブ（６）とを備えたほぼＵ字形の湾曲部材の形状を有しており、前記脚の内側に押しつぶし縁部として協働し合う複数の突起（４，５）が形成され、前記ウエブ（６）によって前記脚（２，３）が拡がる位置に拡開可能であって、前記湾曲部材がさらに、第１の脚（２）の自由端部に接続され、第２の脚（３）に向かって湾曲された、曲げ弾性的に変位可能なばね舌片（７）を備えており、該ばね舌片（７）が内方に向けられた係止突起（８）を有していて、該係止突起（８）の後ろに、前記脚（２，３）が圧縮される際に第２の脚（３）の自由端部が遮断位置で係止可能となっており、ウエブ（６）とばね舌片（７）とが、チューブ（１３）を貫通案内するための孔（９，１０）を備えており、この場合、チューブクランプ（１）が、このチューブクランプ（１）を閉鎖するための手段（１１）及び／又はチューブクランプ（１）を開放するための手段（１６）を有しており、これらの手段がそれぞれ、注入ポンプの傾倒レバー（１２）と協働してチューブクランプ（１）を開放及び／又は閉鎖することを特徴とする、注入チューブセットと注入ポンプとの組み合わせ。
【請求項２】
チューブを選択的に遮断及び開放するためのチューブクランプであって、剛性な複数の脚と曲げ弾性的なウエブとを備えたほぼＵ字形の湾曲部材の形状を有しており、前記脚の内側に押しつぶし縁部として協働し合う複数の突起が形成され、前記ウエブによって前記脚が拡がる位置に拡開可能であって、前記湾曲部材がさらに、第１の脚の自由端部に接続され、第２の脚に向かって湾曲された、曲げ弾性的に変位可能なばね舌片を備えており、該ばね舌片が内方に向けられた係止突起を有していて、該係止突起の後ろに、第１の脚と第２の脚とが圧縮される際に第２の脚の自由端部が遮断位置で係止可能となっており、ウエブとばね舌片とが、チューブを貫通案内するための孔を備えている形式のものにおいて、
チューブクランプ（１）が、このチューブクランプ（１）を閉鎖するための手段（１１）及び／又はチューブクランプを開放するための手段（１６）を有しており、これらの手段がそれぞれ、注入ポンプの傾倒レバーによってチューブクランプ（１）を開放及び／又は閉鎖することを特徴とする、チューブクランプ。
【請求項３】
チューブクランプ（１）を閉鎖するための手段（１１）がチューブクランプに設けられた部材（１１）として構成されており、該部材（１１）に、注入ポンプの一部がチューブクランプ（１）の第２の脚（３）に垂直に作用する力を加えることができるようになっている、請求項２記載のチューブクランプ。
【請求項４】
チューブクランプ（１）を閉鎖するための手段（１１）が、第２の脚（３）の外側に設けられた膨出部（１１）として構成されており、該膨出部（１１）に沿って、注入ポンプの傾倒レバー（１２）の少なくとも一部（１４）が転動するようになっている、請求項３記載のチューブクランプ。
【請求項５】
チューブクランプ（１）を閉鎖するための手段（１１）が歯列を有しており、該歯列が、注入ポンプの傾倒レバー（１２）の対応する歯列と協働する、請求項４記載のチューブクランプ。
【請求項６】
チューブクランプ（１）内に挿入されたチューブ（１３）が、チューブクランプ（１）を閉鎖するための手段（１１）と注入ポンプの傾倒レバー（１２）とが協働することによって液密に遮断可能である、請求項２から５までのいずれか１項記載のチューブクランプ。
【請求項７】
チューブクランプ（１）が、チューブクランプを閉鎖するための手段（１１）と注入ポンプの傾倒レバー（１２）とが協働することによって、係止可能である、請求項２から５までのいずれか１項記載のチューブクランプ。
【請求項８】
チューブクランプを開放するための手段（１６）が、チューブクランプに設けられた部材（１６）として構成されており、該部材（１６）を介して、注入ポンプの一部がばね舌片（７）を第２の脚（３）から離れる方向に押しやるようになっている、請求項２記載のチューブクランプ。
【請求項９】
チューブクランプを開放するための手段（１６）が、ばね舌片（７）において、注入ポンプの傾倒レバー（１２）の少なくとも一部（１５）と協働するための部材（１６）として構成されており、この場合、ばね舌片（７）が第２の脚（３）から離れる方向に押しやられるようになっている、請求項８記載のチューブクランプ。
【請求項１０】
錠止及び解錠可能なドアを有する注入ポンプであって、チューブクランプが選択的に開放及び／又は遮断されるか、若しくは遮断位置で係止可能となっている形式のものにおいて、
注入ポンプが、それぞれチューブクランプの一部と協働してチューブクランプ（１）を開放及び／又は閉鎖する、請求項２から９記載のチューブクランプ（１）を閉鎖及び／又は開放するための傾倒レバー（１２）を有しており、該傾倒レバー（１２）がそれぞれ、チューブクランプ（１）を閉鎖するための手段（１１）及び／又はチューブクランプ（１）を開放するための手段（１６）に圧力を加えることによってチューブクランプ（１）を開放及び／又は閉鎖することを特徴とする、注入ポンプ。
【請求項１１】
注入チューブセットにおいて、チューブが請求項２から９記載のチューブクランプを通ってガイドされ、該チューブクランプによって、請求項１０記載の注入ポンプを使用するために、チューブが選択的に開放及び／又は遮断されるようになっていることを特徴とする、注入チューブセット。
【発明の詳細な説明】
【０００１】
本発明は、注入チューブセットと注入ポンプとの組み合わせであって、チューブがチューブクランプを通ってガイドされ、該チューブクランプによってチューブが選択的に開放及び／又は遮断される形式のもの、並びにチューブ例えば注入チューブを選択的に遮断及び開放するためのチューブクランプであって、剛性な複数の脚と曲げ弾性的なウエブとを備えたほぼＵ字形の湾曲部材の形状を有しており、前記脚の内側に押しつぶし縁部として協働し合う複数の突起が形成され、前記ウエブによって前記脚が拡がる位置に拡開可能であって、前記湾曲部材がさらに、第１の脚の自由端部に接続され、第２の脚に向かって湾曲された、曲げ弾性的に変位可能なばね舌片を備えており、該ばね舌片が内方に向けられた係止突起を有していて、該係止突起の後ろに、第１の脚と第２の脚とが圧縮される際に第２の脚の自由端部が遮断位置で係止可能となっており、ウエブとばね舌片とが、チューブを貫通案内するための孔を備えている形式のものに関する。また本発明は、チューブクランプを通ってガイドされたチューブを挿入及び取り出すための、錠止及び解錠可能なドアを有する注入ポンプであって、チューブクランプが選択的に開放及び／又は遮断されるか、若しくは遮断位置で係止可能となっている形式のものに関する。さらに本発明は、チューブがチューブクランプを通ってガイドされ、該チューブクランプによってチューブが選択的に開放及び／又は遮断せしめられるようになっている注入チューブセットに関するものである。
【０００２】
上記のようなチューブクランプは、ヨーロッパ特許公開第０６３７４５６号明細書により公知である。このような形式のチューブクランプは、開放位置でチューブにルーズに（ゆるく）設置されていて、チューブ内の貫流を妨げない。脚をばね舌片が係止するまで圧縮すると、チューブクランプは遮断位置にもたらされ、この遮断位置においてチューブは脚の内側の突起によって気密に押しつぶされるようになっている。この遮断位置は、係止突起を有するばね舌片が外方に曲げ戻されて、このばね舌片の係止突起によって引っ掛けられた脚を再び解放することによって、手動によって容易に解除することができる。
【０００３】
チューブクランプは、上記のように注入セットにも使用される。
アメリカ合衆国特許第５８１７１１６号明細書によれば、例えば地震又は火事等の緊急時に患者から装置を迅速に取り外すことができるような、医学的な処置のためのチューブを開放するための装置について開示されている。この装置によって、患者の身体に取り付けられた医学的なチューブは、２つの箇所で閉鎖され、チューブはこれら２つの箇所の間で切断される。
【０００４】
ヨーロッパ特許第０７６７６９１号明細書によれば、チューブのための開口を有する摺動可能な遮断手段を有する注入セットについて記載されている。この場合、第１の位置においてチューブは開口の領域を通って挿入されるようになっており、この開口は、注入剤がチューブを通って貫流できる程度の十分に大きい寸法を有している。第２の位置において、チューブは、チューブ直径よりも著しく小さい寸法を有する開口の領域を通って挿入され、従ってチューブは液密に閉鎖されるようになっている。舌片及び係止フックが設けられており、この舌片及び係止フックは、遮断手段が注入セットの開放時に第１の位置から第２の位置に摺動し、閉鎖時に第２の位置から第１の位置に摺動するようになっている。
【０００５】
このような構成においては、チューブと遮断手段とが互いに相対運動を行い、これが、チューブの緊締を生ぜしめるという欠点がある。しかもこの相対運動に基づいてチューブが摩耗するという欠点がある。
【０００６】
本発明の課題は、チューブクランプとチューブとの間の相対運動なしにチューブクランプを自動的に閉鎖及び開放することができるようなチューブクランプを提供することである。さらにまた、このために適した、本発明によるチューブクランプを組み込むことができる注入ポンプ及び注入チューブセットが提供されるようにすることである。
【０００７】
この課題は本発明によれば、チューブがチューブクランプを通ってガイドされ、該チューブクランプによってチューブが選択的に開放及び／又は遮断される形式の、注入チューブセットと注入ポンプとの組み合わせにおいて、
前記注入ポンプが錠止及び解錠可能なドアを有しており、前記チューブクランプが選択的に開放及び／又は遮断せしめられるか、若しくは遮断位置で係止可能であって、前記注入ポンプが、チューブクランプを閉鎖及び／又は開放するための傾倒レバーを有しており、該傾倒レバーが、チューブクランプの一部と協働する際にそれぞれチューブクランプを開放及び／又は閉鎖するようになっており、
注入チューブセットが設けられており、この場合チューブがチューブクランプを通してガイドされ、該チューブクランプによってチューブが選択的に開放及び／又は遮断されるようになっており、
チューブクランプが、チューブ例えば注入チューブを選択的に遮断及び開放するために使用され、該チューブクランプが、剛性な複数の脚と曲げ弾性的なウエブとを備えたほぼＵ字形の湾曲部材の形状を有しており、前記脚の内側に押しつぶし縁部として協働し合う複数の突起が形成され、前記ウエブによって前記脚が拡がる位置に拡開可能であって、前記湾曲部材がさらに、第１の脚（の自由端部に接続され、第２の脚に向かって湾曲された、曲げ弾性的に変位可能なばね舌片を備えており、該ばね舌片が内方に向けられた係止突起を有していて、該係止突起の後ろに、前記脚が圧縮される際に第２の脚の自由端部が遮断位置で係止可能となっており、ウエブとばね舌片とが、チューブを貫通案内するための孔を備えており、この場合、チューブクランプが、このチューブクランプを閉鎖するための手段及び／又はチューブクランプを開放するための手段を有しており、これらの手段がそれぞれ、注入ポンプの傾倒レバーと協働してチューブクランプを開放及び／又は閉鎖するようになっていることによって、解決された。
【０００８】
本発明によるチューブクランプは、チューブクランプを閉鎖するための手段がチューブクランプに設けられた部材として構成されており、該部材に、注入ポンプの一部がチューブクランプの第２の脚に垂直に作用する力を加えることができるようになっている、ことを特徴としている。
【０００９】
本発明の構成は、チューブクランプを閉鎖するための手段が、第２の脚の外側に設けられた膨出部として構成されており、該膨出部に沿って、傾倒レバーの少なくとも一部が転動するようになっている点にある。
【００１０】
本発明は、例えばドアを錠止及び解錠するためにいずれにしても設けられている傾倒レバーが、チューブを開閉するためにも使用できる、という認識に基づいている。チューブクランプを相応に適合させることによって、チューブクランプは傾倒レバーと協働する。
【００１１】
ドアを解錠する間、傾倒レバーは回転運動を行い、この回転運動中に傾倒レバーの端部は、チューブクランプの第２の脚の外側に設けられた膨出部に沿って転動し、チューブクランプを閉鎖位置にもたらす。ドアを錠止する際には逆の過程が行われる。
【００１２】
本発明の実施態様によれば、チューブクランプを閉鎖するための手段が歯列を有しており、該歯列が、傾倒レバーの対応する歯列と協働するようになっている。
【００１３】
これによって、チューブクリップの脚に配置された、傾倒レバーと協働するための手段と傾倒レバーとの間のスリップは避けられる。
【００１４】
本発明の枠内で、チューブクランプ内に挿入されたチューブが、チューブクランプを閉鎖するための手段と傾倒レバーとが協働することによって液密に遮断可能である。
【００１５】
チューブクランプが、チューブクランプを閉鎖するための手段と傾倒レバーとが協働することによって、係止可能であれば、有利である。
【００１６】
本発明の枠内で、チューブクランプを開放するための手段が、チューブクランプに設けられた部材として構成されており、該部材を介して、注入ポンプの一部がばね舌片を第２の脚から離れる方向に押しやられるようになっている。
【００１７】
さらに本発明によれば、チューブクランプを開放するための手段が、ばね舌片において、注入ポンプ傾倒レバーの少なくとも一部と協働するための部材として構成されており、この場合、ばね舌片が第２の脚から離れる方向に押しやられるようになっている。
【００１８】
注入チューブセットを備えた注入ポンプも本発明の枠内にあり、この場合、注入ポンプは、チューブを挿入及び取り出すための、傾倒レバーによって錠止及び解錠可能なドアを有しており、チューブはチューブクランプを通ってガイドされ、このチューブクランプによってチューブが選択的に開放及び／又は遮断されるか、若しくは遮断位置で係止可能であり、この場合、注入ポンプが、チューブクランプを開放及び／又は閉鎖するための傾倒レバーを有しており、該傾倒レバーが、それぞれ、チューブクランプを閉鎖するための手段及び／又はチューブクランプを開放するための手段に力を加えることによってチューブクランプを開放及び／又は閉鎖するようになっている。
【００１９】
本発明の枠内で、注入チューブセットも使用され、この場合、チューブがチューブクランプを通ってガイドされ、該チューブクランプによってチューブが選択的に開放及び／又は遮断されるか、若しくは請求項９記載の注入ポンプ内で遮断位置において係止可能である。
【００２０】
本発明の利点は主に、チューブクランプとチューブとの間の相対運動なしに、ドアの錠止若しくは解錠と調和する、チューブの開放及び閉鎖が、いずれにしても設けられているレバーによって可能であるという点にある。
【００２１】
次に本発明の図示の実施例を用いて説明する。
【００２２】
図１は、本発明によるチューブクランプ、
図２ａ、図２ｂ、図２ｃ、図２ｄは、本発明によるチューブクランプを傾倒レバーを用いて閉鎖する状態を示した図、
図３ａ、図３ｂ、図３ｃは、本発明の変化実施例によるチューブクランプの側面図、断面図及び平面図である。
【００２３】
図１に示されているように、チューブ脚１は、第１の脚２と第２の脚３とを有しており、その内側に、押しつぶし縁部として協働し合う突起４，５が形成されており、第１の脚２と第２の脚３とは、これら２つの脚２，３を開いた位置に拡開可能である曲げ弾性的なウエブ６によって接続されている。
【００２４】
第１の脚２の自由端部に接続され、第２の脚３に向かって湾曲する曲げ弾性的なばね舌片７は、内方に向けられた係止突起８を備えており、この係止突起８の後ろに、２つの脚２，３を圧縮した時に第２の脚３の自由端部が係止位置で係止可能である。このばね舌片７は、チューブ脚１を閉鎖位置で保持するために用いられる。ウエブ６とばね舌片７とは、チューブを貫通案内するための孔９，１０を備えている。第２の脚３は、その外側で、チューブクランプを閉鎖するための手段１１を有しており、この手段１１は、図示の実施例では、傾倒レバーの形状に対応して、膨出部として構成されており、この膨出部上で傾倒レバー１２の端部１４が転動する。
【００２５】
図２ａ〜図２ｄには、傾倒レバー１２と、チューブクランプを閉鎖するための手段１１、並びにチューブクランプを開放するための手段１６との協働作業について図示されている。図示の実施例（図２ａ）では、傾倒レバー１２の付加部１５は、このために設けられた段部として構成された、チューブクランプ１の部材１６上に位置しており、この部材１６は、ばね舌片７に対してほぼ直角に配置されている。チューブ１３は、突起４，５がチューブ１３に強い圧力を加えることなしに、チューブクランプ１を貫通することができる。液体はチューブ１３内で循環する。
【００２６】
図２ａに示した位置から出発して、傾倒レバー１２はその回転運動を開始し、その端部１４が、傾倒レバー１２と協働作業するための手段１１（図示の実施例では膨出部１１）に圧力を加える。突起４，５はチューブ１３を押しつぶし始める。
【００２７】
図２ｂでは、傾倒レバー１２はその一方の端部が既に、チューブが液密に押しつぶされる程度に強く、チューブ１２を圧縮している。傾倒レバー１２の端部が膨出部１１を転動することに基づいて、チューブクランプ１の第２の脚３はばね舌片７に向かって移動し、下方に押しつけられる。それと同時にウエブ６がその初期位置にばね弾性的に移動する。何故ならば傾倒レバー１２の段部１５がもはや部材１６を押しつけないからである。
【００２８】
図２ｃには、傾倒レバー１２がさらに回転せしめられた後で、第２の脚３がばね舌片７の係止突起８内に係止する瞬間について図示されている。
【００２９】
図２ｄに示されているように、チューブクランプ１が閉鎖した後で傾倒レバー１２は持ち上げられる。
【００３０】
原則として、チューブは貯蔵の理由によりチューブクランプと共に開放された状態で供給される。使用前に、使用者は、チューブクランプを閉鎖し、チューブセットをポンプに設置する。ポンプは、チューブクランプを開放する位置になければならない。チューブクランプ１の開放は、図２ａ〜図２ｄに示した連続とは逆の連続で行われる。開放するために、段部として構成された部材１６にばね舌片７に対してほぼ平行な力を加えることによって、チューブクランプを広げるトルクが生ぜしめられる。
【００３１】
この場合、段部１６の代わりに傾倒レバー１２と協働するためのその他の部材を（この協働によってばね舌片７がチューブクランプの第２の脚３から離れる方向に押されるようになっている限りは）、チューブクランプに設けてもよい。同様に、閉鎖する際には単に、圧力が垂直方向でチューブクランプの第２の脚３に加えられるようにすればよい。
【００３２】
図３ａ〜図３ｄに示されているように、本発明によるチューブクランプは、段部として構成された部材１６の代わりに傾斜部を設け、この傾斜部に沿って、閉鎖時に第２の脚３の端部が、ばね舌片７の係止突起８の下に係止するまで摺動する。この実施例においては、対抗部材１５は、注入ポンプの側面で、上側の段部１６と接触するだけである。段部として構成された部材１６に、ばね舌片７に対してほぼ平行な力を加えることによって、チューブクランプの開放時に、チューブクランプを拡開するトルクが生ぜしめられる。
【００３３】
傾倒レバー１２が、チューブクランプを閉鎖若しくは開放するための手段１１若しくは１６上を転動する際に、これらの手段１１，１６と傾倒レバー１２との間に可能な限り小さいスリップが生じるようにする必要がある。これは例えば、傾倒レバー１２と手段１１若しくは１６との協働し合う面に、高い摩擦を有するコーティングを備えるか、又は傾倒レバー１２と手段１１若しくは１６との間に歯列を設けることによって実現される。
【００３４】
このような注入ポンプによって自動的に操作可能なチューブクランプにおいては、ポンプ内にチューブクランプが存在することを確認するための手段、例えば光学式の識別システム又は電気式の識別システム（例えばチューブクランプのための導電性のプラスチックを使用することによって）を設ければ有利である。
【図面の簡単な説明】
【図１】  本発明によるチューブクランプの概略図である。
【図２】  ａ、ｂ、ｃ、ｄはそれぞれ、本発明によるチューブクランプを傾倒レバーを用いて閉鎖する状態を示す概略図である。
【図３】  ａは、本発明の変化実施例によるチューブクランプの側面図、ｂは、断面図及び、ｃは、平面図である。
【図１】
0004301755.tif 000002
【図２】
0004301755.tif 000003
【図３】
0004301755.tif 000004